(57)【要約】      （修正有）【課題】捕獲対象動物に警戒されにくく、複数を連結することによって任意の形状及び大きさの囲い罠を形成することができるとともに、囲い罠を形成したときにそれぞれに設けられた入口となる開放空間を連鎖的に閉鎖させることができる構成を有するゲートユニットを提供する。【解決手段】ゲートユニット１Ａ、１Ｂは、略四角形の空間を形成し、地面に立設されるフレーム１１を有する。フレームによって形成される略四角形の空間のうちフレームの上部に位置する上部空間１２ａには、上部空間を塞ぐように目隠しパネル１４が配置される。ゲートユニットは、さらにゲートパネル１５を有する。ゲートパネルは、目隠しパネルに重なる待機位置と、フレームによって形成される略四角形の空間のうち目隠しパネルによって塞がれていない下部空間１２ｂを塞ぐ閉鎖位置との間で移動可能である。ゲートパネルは、ロック機構１６によって待機位置に保持される。【選択図】図１
0003232233.tif 000002
【実用新案登録請求の範囲】
【請求項１】
複数個を角度自在かつ高さ自在に連結することによって、任意の形状及び大きさの動物捕獲空間を形成することができるゲートユニットであって、
略四角形の空間を形成し、地面に立設されるフレームと、
前記フレームによって形成される前記略四角形の空間のうち前記フレームの上部に位置する上部空間を塞ぐように配置された目隠しパネルと、
少なくとも一部が前記目隠しパネルに重なる待機位置と、前記フレームによって形成される前記略四角形の空間のうち前記目隠しパネルによって塞がれていない下部空間を塞ぐ閉鎖位置との間で移動可能なゲートパネルと、
前記ゲートパネルを前記待機位置に保持するロック機構と
を備えるゲートユニット。
【請求項２】
別のゲートユニットと連結するための連結部を前記フレームの両側部に有し、前記連結部は、隣接するゲートユニット間を、角度を自在に且つ高さ方向位置を自在に連結することができるように構成された、請求項１に記載のゲートユニット。
【請求項３】
前記フレームは、前記上部空間と前記下部空間との境界に配置された横中間フレームを有し、
前記ロック機構は、ロックピンと、前記ゲートパネルに取り付けられ、前記ロックピンが通される第１の挿通孔を有する第１のロック部材と、前記横中間フレームに取り付けられ、前記ロックピンが通される第２の挿通孔を有する第２のロック部材とを有しており、
前記ロックピンが前記第１の挿通孔と前記第２の挿通孔とに通されることによって、前記ゲートパネルが前記待機位置に保持される、
請求項１又は請求項２に記載のゲートユニット。
【請求項４】
前記フレームは、前記略四角形の空間を縦に分割する少なくとも１つの縦中間フレームを有し、
前記少なくとも１つの縦中間フレームが前記略四角形の空間を分割することによって形成される複数の小空間の幅に対応する幅の複数の前記目隠しパネルと複数の前記ゲートパネルとを備える、
請求項１から請求項３までのいずれか１項に記載のゲートユニット。
【請求項５】
請求項１から請求項４までのいずれか１項に記載のゲートユニットを複数個、角度自在かつ高さ自在に横方向に連結することによって形成された囲い罠。
【請求項６】
前記複数のゲートユニットのうちいずれか１つのゲートユニットの前記ロック機構が解除され、そのゲートユニットの前記ゲートパネルが落下したことに応答して、他のゲートユニットの前記ロック機構の解除及び前記ゲートパネルの落下が連鎖的に行われるように前記複数のゲートユニットが互いに連結された、請求項５に記載の囲い罠。
【請求項７】
請求項３に記載のゲートユニットを複数個、角度自在かつ高さ自在に横方向に連結することによって形成された囲い罠であって、
複数の前記ゲートユニットは、動物が囲い罠の内側に入ったときに前記ロックピンが前記第１の挿通孔及び前記第２の挿通孔から抜けるようになっている１つ又は複数のトリガーゲートユニットと、前記１つ又は複数のトリガーゲートユニット以外の複数の連鎖ゲートユニットとを含み、
前記１つ又は複数のトリガーゲートユニットの各々の前記ゲートパネル又は前記第１のロック部材と、前記１つ又は複数のトリガーゲートユニットに隣接する連鎖ゲートユニットの一方又は両方の前記ロックピンとがワイヤで連結されているとともに、それぞれ隣接する２つのゲートユニット間は、一方のゲートユニットの前記ゲートパネル又は前記第１のロック部材と他方のゲートユニットの前記ロックピンとがワイヤで連結されており、
前記１つ又は複数のトリガーゲートユニットの前記ゲートパネルの落下に応答して、前記複数の連鎖ゲートユニットの前記ロックピンが前記第１の挿通孔及び前記第２の挿通孔から順次抜けて、前記複数の連鎖ゲートユニットの各々の前記ゲートパネルが連鎖的に落下するように構成された
囲い罠。
【請求項８】
前記ゲートユニットに連結され、囲い罠の動物捕獲空間に捕獲した動物を内部に追い込んで閉じ込めることが可能な動物捕獲装置をさらに備えた、請求項５から請求項７までのいずれか１項に記載の囲い罠。
【考案の詳細な説明】
【技術分野】
【０００１】
本考案は、囲い罠に関し、より詳細には、上下に移動可能なゲートパネルを有するゲートユニットと、そのゲートユニットを互いに任意の角度及び任意の高さ方向位置関係で複数個連結することによって任意の形状及び大きさの動物捕獲空間として構成することができる囲い罠に関する。
【背景技術】
【０００２】
鹿や猪などの野生動物による被害を防止するために、野生動物の効果的な捕獲方法が求められている。野生動物を捕獲する装置として、特許文献１（特開２０００−３１６４５６）、特許文献２（特開２０１２−２４９５６６）に記載される技術が提案されている。
【０００３】
特許文献１に提案される動物捕獲装置では、装置内に捕獲された動物は、入り口が閉じられたときや人が近づいたときに暴れて装置の壁に衝突し、傷つくおそれがある。傷ついた動物は、食肉に適さない個体となる。そのため、特許文献２に提案される捕獲装置のように、金網に目隠しを設置することがある。しかしながら、目隠しをした捕獲装置では、動物が警戒してその内部に入らないことが多い。
【０００４】
上記のような課題を解決する装置として、特許文献３（特開２０１４−１２８２２３）に記載される囲い罠が提案されている。この囲い罠においては、金属材で構成された立方体形状のフレームの側面上段が固定板で閉塞されるとともに、下段は動物が侵入する入口になっている。下段が入口として開いた状態のときには、固定板とほぼ重なる位置に扉板が吊った状態で配置されており、動物が囲い罠の内部に侵入したことが検知されると、扉板が落下して下段の入口が閉塞される。特許文献３に提案される囲い罠を設置するためは、平坦である程度の広さの場所が必要であるため、傾斜地での設置や最も望ましい場所への設置が難しい場合がある。
【先行技術文献】
【特許文献】
【０００５】
【特許文献１】特開２０００−３１６４５６
【特許文献２】特開２０１２−２４９５６６
【特許文献３】特開２０１４−１２８２２３
【考案の概要】
【考案が解決しようとする課題】
【０００６】
上記の先行技術に鑑み、本考案は、捕獲対象動物に警戒されにくく、複数を連結することによって任意の形状及び大きさの囲い罠を形成することができるとともに、囲い罠を形成したときにそれぞれに設けられた入口となる開放空間を連鎖的に閉鎖させることができる構成を有するゲートユニットを提供することを課題とする。
また、本考案は、こうしたゲートユニットを複数個連結することによって形成される任意の形状及び大きさの囲い罠を提供することを課題とする。
【課題を解決するための手段】
【０００７】
本考案は、その一態様において、複数個を角度自在かつ高さ自在に連結することによって、任意の形状の動物捕獲空間を形成することができるゲートユニットを提供する。ゲートユニットは、略四角形の空間を形成し、地面に立設されるフレームを有する。フレームによって形成される略四角形の空間のうちフレームの上部に位置する上部空間には、上部空間を塞ぐように目隠しパネルが配置される。ゲートユニットは、さらにゲートパネルを有する。ゲートパネルは、目隠しパネルに重なる待機位置と、フレームによって形成される略四角形の空間のうち目隠しパネルによって塞がれていない下部空間を塞ぐ閉鎖位置との間で移動可能である。ゲートパネルは、ロック機構によって待機位置に保持される。
【０００８】
一実施形態において、ゲートユニットは、別のゲートユニットと連結するための連結部をフレームの両側部に有することが好ましい。連結部は、隣接するゲートユニット間を、角度を自在に且つ高さ方向位置を自在に連結することができるように構成されている。例えば、連結部は、ゲートユニットの両側部に配置された丸パイプによって実現される連結バーとすることができる。
【０００９】
一実施形態において、フレームは、上部空間と下部空間との境界に配置された横中間フレームを有することが好ましい。また、ロック機構は、ロックピンと、ゲートパネルの下部に取り付けられた第１のロック部材と、横中間フレームに取り付けられた第２のロック部材とを有することが好ましい。第１のロック部材は、ロックピンが通される第１の挿通孔を、第２のロック部材は、ロックピンが通される第２の挿通孔を有し、ロックピンが第１の挿通孔と第２の挿通孔とに通されることによってゲートパネルを待機位置に保持することができる、
【００１０】
一実施形態において、フレームは、略四角形の空間を縦に分割する少なくとも１つの縦中間フレームを有するものとすることもできる。縦中間フレームを有する場合には、ゲートユニットは、少なくとも１つの縦中間フレームが略四角形の空間を分割することによって形成される複数の小空間の幅に対応する幅の複数の目隠しパネルと複数のゲートパネルとを備える。
【００１１】
本考案は、別の態様において、上記のゲートユニットを複数個、角度自在かつ高さ自在に横方向に連結することによって形成された囲い罠を提供する。一実施形態において、この囲い罠は、複数のゲートユニットのうちいずれか１つのゲートユニットのロック機構が解除され、そのゲートユニットのゲートパネルが落下したことに応答して、他のゲートユニットのロック機構の解除及びゲートパネルの落下が連鎖的に行われるように複数のゲートユニットが互いに連結することができる。
【００１２】
本考案は、さらに別の態様において、請求項３に記載のゲートユニットを複数個、角度自在かつ高さ自在に横方向に連結することによって形成された囲い罠を提供する。この囲い罠は、１つ又は複数のトリガーゲートユニットと、１つ又は複数のトリガーゲートユニット以外の複数の連鎖ゲートユニットとを含んで構成される。１つ又は複数のトリガーゲートユニットは、動物が囲い罠の内側に入ったときにロックピンが第１の挿通孔及び第２の挿通孔から抜けるようになっている。この囲い罠においては、１つ又は複数のトリガーゲートユニットの各々のゲートパネル又は第１のロック部材と、１つ又は複数のトリガーゲートユニットに隣接する連鎖ゲートユニットの一方又は両方のロックピンとがワイヤで連結されている。また、複数の連鎖ゲートユニットのそれぞれ隣接する２つのゲートユニット間は、一方の連鎖ゲートユニットのゲートパネル又は第１のロック部材と他方の連鎖ゲートユニットのロックピンとがワイヤで連結されている。したがって、この囲い罠は、１つ又は複数のトリガーゲートユニットのゲートパネルの落下に応答して、複数の連鎖ゲートユニットのロックピンが第１の挿通孔及び第２の挿通孔から順次抜けて、複数の連鎖ゲートユニットの各々のゲートパネルが連鎖的に落下するようになっている。
【００１３】
本考案は、さらに別の態様において、ゲートユニットに連結され、囲い罠の動物捕獲空間に捕獲した動物を内部に追い込んで閉じ込めることが可能な捕獲装置をさらに備えた囲い罠を提供する。
【考案の効果】
【００１４】
本考案によれば、隣接するゲートユニットを連結する枚数や角度を自在に設定することができるため、設置すべき場所の状況に応じて大きさや形状を自由に変えることができる囲い罠を提供することが可能である。また、隣接するゲートユニットを連結する高さも自在に設定できるため、傾斜地や不陸がある土地にも容易に設置することができる囲い罠を提供することが可能である。さらに、複数のゲートユニットを現場で連結又は分解することができるように構成されているため、囲い罠の設置、解体、移動等が容易である。
【図面の簡単な説明】
【００１５】
【図１】本考案の一実施形態によるゲートユニットを示し、（ａ１）はゲートパネル１枚に対応する幅のゲートユニットの正面図、（ａ２）は（ａ１）のＡＡ矢視断面図、（ｂ１）はゲートパネル２枚に対応する幅のゲートユニットの正面図、（ｂ２）は（ｂ１）のＢＢ矢視断面図である。
【図２】本考案の一実施形態によるゲートユニットのロック機構を示し、（ａ）はロックが解除された状態、（ｂ）はロックがかけられた状態を示す。
【図３】本考案の一実施形態によるゲートユニットにおけるゲートパネルの移動の様子を示し、（ａ）はゲートパネルが上がってロックがかけられた状態、（ｂ）はロックが解除されてゲートパネルが落下し始めた状態、（ｃ）はゲートパネルが落下している状態、（ｄ）はゲートパネルが完全に落下した状態である。
【図４】本考案の一実施形態によるゲートユニットに取り付けられるロック機構が解除されて、連鎖的にゲートパネルが落下する仕組みを示す。
【図５】本考案の一実施形態によるゲートユニットを複数個、連結することによって形成された囲い罠を示し、（ａ）はすべてのゲートユニットのゲートパネルが上がった状態、（ｂ）はすべてのゲートユニットのゲートパネルが落下した状態である。
【図６】本考案の一実施形態によるゲートユニットを複数個、連結することによって構成された囲い罠に、既存の動物捕獲装置が連結された状態を示す。
【考案を実施するための形態】
【００１６】
以下において、図面を参照しながら、本考案の実施形態を詳細に説明する。
［ゲートユニット］
最初に、囲い罠を形成することができるゲートユニットを説明する。図１は、本考案の一実施形態によるゲートユニット１Ａ及びゲートユニット１Ｂを示す。図１（ａ１）は、ゲートパネル１枚に対応する幅のゲートユニット１Ａの正面図であり、図１（ａ２）は、図１（ａ１）のゲートユニット１ＡにおけるＡＡ矢視断面図である。また、図１（ｂ１）は、ゲートパネル２枚に対応する幅のゲートユニット１Ｂの正面図であり、図１（ｂ２）は、図１（ｂ１）のゲートユニット１ＢにおけるＢＢ矢視断面図である。本明細書においては、ゲートユニット１Ａ及びゲートユニット１Ｂにおいて、ロック機構１６が配置された側（すなわち、図１の（ａ１）及び（ｂ１）で見えている側）を正面とする。
【００１７】
図１（ａ１）におけるゲートユニット１Ａは、ゲートパネル１５が最も上の位置まで上げられ、ロック機構１６によって待機位置で保持されている状態を示している。また、ゲートユニット１Ｂは、図１（ｂ１）における左側のゲートパネル１５が途中まで落下した状態を示し、右側のゲートパネル１５が完全に落下して閉鎖位置にある状態を示している。
【００１８】
図１（ａ１）のゲートユニット１Ａは、上下の横フレーム１１ａと左右の縦フレーム１１ｂとが組み合わされることによって略四角形の空間１２を形成するフレーム１１を有する。図１（ｂ１）のゲートユニット１Ｂは、ゲートユニット１Ａのフレーム１１が２つ横に連結されたサイズのフレーム１１を有する。ゲートユニット１Ｂは、幅方向の中間位置に、略四角形の空間１２を縦に分割する縦中間フレーム１１ｄを有する。ゲートユニット１Ａ及びゲートユニット１Ｂは、下の横フレーム１１ａを地面に置き、ゲートユニット１Ａ及びゲートユニット１Ｂのいずれかの箇所に接続された支持部材（図示せず）を用いて立設することができる。
【００１９】
図１（ｂ１）のゲートユニット１Ｂは、１本の縦中間フレーム１１ｄを有するものとして構成されているが、縦中間フレーム１１ｄの数はこれに限定されるものではなく、２本以上の縦中間フレーム１１ｄが設けられてもよい。例えば、空間１２を３分割するように、フレーム１１に２本の縦中間フレーム１１ｄを設けることもできる。この場合には、ゲートユニット１Ｂと同じ幅で空間１２を３分割したゲートユニットとすることもでき、ゲートユニット１Ａのフレーム１１の３倍の幅を有するゲートユニットとすることもできる。
【００２０】
左右の縦フレーム１１ｂは、図１（ａ２）及び図１（ｂ２）に示されるように、互いに対向する位置関係で配置されたパネルレール１１ｂ１を有する。また、ゲートユニット１Ｂにおいては、縦中間フレーム１１ｄもパネルレール１１ｂ１を有する。縦フレーム１１ｂ及び縦中間フレーム１１ｄは、パネルレール１１ｂ１に２枚のパネルの端部、すなわち、目隠しパネル１４及びゲートパネル１５の端部を収容できる厚みを有する。後述されるように、ゲートパネル１５は、パネルレール１１ｂ１内を走行することによって、待機位置と閉鎖位置とを移動する。
【００２１】
フレーム１１の両側部には、複数のブリッジ１３ｃを介して連結バー１３ａ、１３ｂが接続される。連結バー１３ａ、１３ｂは、丸パイプであることが好ましいが、これに限定されるものではなく、角パイプや多角形パイプなどを必要に応じて用いることができ、さらに１本のパイプではなく、短い複数のパイプを縦フレーム１１ｂに沿って配置することによって構成することもできる。
【００２２】
連結バー１３ａ、１３ｂは、複数のゲートユニット１Ａ及び／又はゲートユニット１Ｂを繋げて図５に示される囲い罠２を形成する際に、自在クランプ金具（図示せず）などの公知技術を用いて互いに連結される。すなわち、例えばゲートユニット１Ａとゲートユニット１Ｂとを連結する場合には、ゲートユニット１Ａの連結バー１３ｂ（又は１３ａ）とゲートユニット１Ｂの連結バー１３ａ（又は１３ｂ）とを、自在クランプ金具で連結することができる。
【００２３】
連結バー１３ａ、１３ｂは縦フレーム１１ｂに沿って配置されるため、隣接する連結バー１３ａ、１３ｂは、互いに高さ方向にずらした位置関係で連結することができ、したがって、隣接するゲートユニット１Ａ及び／又はゲートユニット１Ｂが配置される地面の高さが互いに異なる場合でも対応可能である。また、連結バー１３ａ、１３ｂを用いれば、隣接するゲートユニット１Ａ及び／又はゲートユニット１Ｂを任意の角度で連結することができるため、複数のゲートユニット１Ａ及び／又はゲートユニット１Ｂを連結して、図５に示されるような任意の全体形状を有する囲い罠２を構成することができる。
【００２４】
なお、図１に示される実施形態では、連結バー１３ａの長さと連結バー１３ｂの長さが異なっているが、これは、ゲートユニット１Ａ及びゲートユニット１Ｂを支持棒を用いて地面に立設する際に、支持棒（図示せず）の上部を通すスペースを確保するためである。すなわち、隣接するゲートユニット１Ａ及び／又はゲートユニット１Ｂの一方の連結バー１３ａを短くすることによって、フレーム１１の上方と他方のゲートユニット１Ａ及び／又はゲートユニット１Ｂの連結バー１３ｂとの間に隙間ができ、ここに斜めに配置された支持棒の上部を通すことができる。したがって、他の方法でゲートユニット１Ａ及び／又はゲートユニット１Ｂを立設する場合には、隣接する連結バーの長さは同じであってもよい。
【００２５】
フレーム１１は、高さ方向の中間位置より若干上方に、左右の縦フレーム１１ｂ間に渡された横中間フレーム１１ｃを有する。この横中間フレーム１１ｃによって、空間１２は、フレーム１１の上方に位置する上部空間１２ａと、フレーム１１の下方に位置し、上部空間１２ａより若干広い下部空間１２ｂとに分割される。
【００２６】
ゲートユニット１Ａは、上部空間１２ａを塞ぐように配置された目隠しパネル１４を有する。同様に、ゲートユニット１Ｂは、縦中間フレーム１１ｄによって上部空間１２ａが分割されて形成された小空間の幅に対応する２枚の目隠しパネル１４を有する。また、ゲートユニット１Ａは、端部がパネルレール１１ｂ１内に配置され、パネルレール１１ｂ１に沿って上下方向に移動可能なゲートパネル１５を有し、ゲートユニット１Ｂは、同様のゲートパネル１５を２枚有する。
【００２７】
図１の実施形態においては、ゲートパネル１５の大きさが目隠しパネル１４より大きいが、これは、下部空間１２ｂをできるだけ広くして、動物が囲い罠２の内部に侵入しやすくするためである。別の実施形態においては、ゲートパネル１５を目隠しパネル１４と同じ大きさとすることもできる。目隠しパネル１４は不透明で耐候性に優れた板状体、ゲートパネル１５は、不透明で耐候性に優れ、落下の衝撃に耐えることができる板状体であれば特に限定されるものではなく、例えば、コンパネ、普通合板、構造用合板などのベニヤ合板や、樹脂板、金属板などを適宜用いることができる。
【００２８】
ゲートパネル１５は、最も上がった状態の待機位置（図１（ａ１）の状態）と、最も下がった状態の位置（図１（ｂ１）の右側のゲートパネル１５の状態）との間で移動可能である。ゲートパネル１５が待機位置にあるときには、その少なくとも一部が目隠しパネル１４と重なっており、ゲートパネル１５が完全に落下したときには、下部空間１２ｂがゲートパネル１５によって塞がれる（ゲートパネル１５のこの位置を閉鎖位置という）。ゲートパネル１５は、待機位置にあるときは、次に説明するロック機構１６によって、落下しないように保持される。
【００２９】
［ロック機構］
図２は、ゲートユニット１Ａ及びゲートユニット１Ｂのロック機構１６を示す。図２（ａ）は、ロック機構１６のロックが解除された状態、（ｂ）はロック機構１６がロックされた状態を示す。ロック機構１６は、ゲートパネル１５に取り付けられる可動ロック部材（第１のロック部材）１６ａと、横中間フレーム１１ｃの下面に取り付けられる固定ロック部材（第２のロック部材）１６ｂと、可動ロック部材１６ａと固定ロック部材１６ｂとをロックするためのロックピン１６ｃとを有する。
【００３０】
可動ロック部材１６ａは、ゲートパネル１５に取り付けられる取付板１６ａ１と、取付板１６ａ１の面に立設されたロックピン挿通板１６ａ２と、同様に取付板１６ａ１の面に立設されるとともに、ロックピン挿通板１６ａ２の面に直交する面を有するアングル形状のワイヤ取付板１６ａ４とを有する。取付板１６ａ１をゲートパネル１５に取り付ける位置は、限定されるものではないが、できるだけ下部に取り付けることによってゲートパネル１５の下端を高い位置に保持し、下部空間１２ｂを大きく開放することができる。ロックピン挿通板１６ａ２は、ロックピン１６ｃが通るロックピン挿通孔１６ａ３（第１の挿通孔）を有する。また、ワイヤ取付板１６ａ４は、２つのワイヤ取付孔１６ａ５を有する。
【００３１】
固定ロック部材１６ｂは、横中間フレーム１１ｃの下面に取り付けられるアングル形状の一対のロックピン挿通板１６ｂ１を有する。一対のロックピン挿通板１６ｂ１の各々は、下方に垂下する部分（アングルの一方の翼部）に、ロックピン１６ｃが通るロックピン挿通孔１６ｂ２（第２の挿通孔）を有する。一対のロックピン挿通板１６ｂ１は、互いに間隔を空けて配置され、その間隔は、可動ロック部材１６ａのロックピン挿通板１６ａ２の厚みより大きくなるように設定される。
【００３２】
ロックピン１６ｃは、可動ロック部材１６ａのロックピン挿通孔１６ａ３と固定ロック部材１６ｂのロックピン挿通孔１６ｂ２とを貫通する軸１６ｃ１と、軸１６ｃ１の一方の端部に設けられたワイヤ取付孔１６ｃ２とを有する。
【００３３】
ロック機構１６をロックされた状態にするには、図２（ａ）に示されるロック解除状態から、可動ロック部材１６ａのロックピン挿通板１６ａ２が、固定ロック部材１６ｂの一対のロックピン挿通板１６ｂ１の間に入るように、可動ロック部材１６ａを移動させる。ロックピン挿通孔１６ａ３の高さとロックピン挿通孔１６ｂ２の高さとを一致させ、ロックピン１６ｃの軸１６ｃ１をロックピン挿通孔１６ａ３及びロックピン挿通孔１６ｂ２に通すことによって、ロック機構１６は、ロック状態となる。逆に、ロック機構１６のロックを解除するには、図２（ｂ）に示されたロック状態において、ロックピン１６ｃをロックピン挿通孔１６ａ３及びロックピン挿通孔１６ｂ２から抜けばよい。
【００３４】
［ゲートユニットの動作の説明］
次に、ゲートユニット１Ａ及びゲートユニット１Bのゲートパネル１５の動作を説明する。図３は、ゲートユニット１Ａ及びゲートユニット１Ｂにおけるゲートパネル１５が移動する様子を示す。
【００３５】
図３（ａ）は、ロック機構１６によって、ゲートパネル１５が待機位置でロックされた状態である。このときには、ロック機構１６は、図２（ｂ）に示されるロック状態であり、ゲートパネル１５は、最も上の位置、すなわち待機位置にある。ゲートパネル１５の一部は、目隠しパネル１４と重なった状態である。
【００３６】
次に、図３（ｂ）に示されるように、ロック機構１６のロックピン１６ｃがロックピン挿通孔１６ａ３及びロックピン挿通孔１６ｂ２から抜けると、可動ロック部材１６ａと固定ロック部材１６ｂとが分離し、ロック機構１６が解除された状態となり、ゲートパネル１５が自重によって落下し始める。その後、ゲートパネル１５は、図３（ｃ）に示される状態を経て、図３（ｄ）に示されるように完全に落下した閉鎖位置で停止する。図３（ｃ）のときには、ゲートパネル１５は、下部空間１２ｂを完全に塞いでいる。
【００３７】
［囲い罠］
図１に示されるゲートユニット１Ａ及び／又はゲートユニット１Ｂを複数個、連結することによって、図５に示されるように、ゲートユニット２１及びゲートユニット２２ａ〜２２ｎからなる囲い罠２を形成することができる。囲い罠２は、必要に応じて複数のゲートユニット１Ａと複数のゲートユニット１Ｂとを、連結バー１３を介して連結することによって形成される。上述のように、複数のゲートユニット１Ａ及び／又はゲートユニット１Ｂは、隣接するゲートユニットを任意の角度で連結することが可能であり、また、互いに高さ方向にずらした位置関係で連結することも可能であるため、任意の形状及び大きさの囲い罠２を、傾斜地であっても容易に形成することができる。なお、連結するゲートユニットは、必要に応じて全てをゲートユニット１Ａとすることも、すべてのゲートユニット１Ｂとすることも、ゲートユニット１Ａとゲートユニット１Ｂとを混在させることもできる。囲い罠２には、ゲートユニット１Ａ及び／又はゲートユニット１Ｂの連結バー１３ａ、１３ｂを隠すための連結部目隠し板２３が取り付けられることが好ましい。
【００３８】
囲い罠２は、動物の捕獲前には、ゲートパネル１５が最も上の位置（待機位置）まで上がり、ロック機構１６が図２（ｂ）の状態になっている。この状態のときには、囲い罠２のゲートユニット２１及びゲートユニット２２ａ〜２２ｎの下部空間１２ｂはすべて開放されているため、動物の視界が確保され、警戒されにくい。動物は、開放された下部空間１２ｂから内部の動物捕獲空間に侵入することになる。
【００３９】
隣接するゲートユニット２１及びゲートユニット２２ａ〜２２ｎの間には、ワイヤ１６ｄが取り付けられる。ワイヤ１６ｄの一端は、一方のゲートユニットに設けられたロック機構１６のロックピン１６ｃのワイヤ取付孔１６ｃ２に取り付けられ、ワイヤ１６ｄの他端は、他方のゲートユニットに設けられたロック機構１６の可動ロック部材１６ａのワイヤ取付孔１６ａ５に取り付けられる。なお、ワイヤ１６ｄの他端は、ワイヤ取付孔１６ａ５に取り付けられることに限定されるものではなく、ゲートパネル１５の落下に伴ってワイヤ１６ｄがロックピン１６ｃを引くことができれば、ゲートパネル１５のいずれ位置であってもよい。
【００４０】
囲い罠２は、内部の動物捕獲空間に動物が入ったときに、ゲートユニット２１及びゲートユニット２２ａ〜２２ｎのそれぞれに取り付けられたロック機構１６が連鎖的に解除され、ゲートパネル１５が順次落下するようになっている。動物捕獲空間に動物が入ると、動物捕獲空間の内部又は外部の適当な位置に設置されたトリガー装置（図示せず）が動物が入ったことを検知し、図５（ａ）に示されるトリガーワイヤ１６ｔを引くようする構成することができる。動物を検知してトリガーワイヤ１６ｔを引くトリガー装置は、公知の電気的装置又は機械的装置を用いて実現することができ、その構成について説明は省略する。あるいは、囲い罠２は、動物捕獲空間に動物が入ったときに、必要に応じて適切なタイミングでトリガーワイヤ１６ｔを引いたり、ゲートユニット２１のロック機構１６を人為的又は自動的に解除したりするように構成してもよい。
【００４１】
囲い罠２においては、図５（ａ）の手前側中央部分に描かれているゲートユニット２１がトリガーゲートユニット２１として設定されており、それ以外のゲートユニットが連鎖ゲートユニット２２ａ〜２２ｎとして設定されている。トリガーゲートユニット２１の２本のロックピン１６ｃのそれぞれにはトリガーワイヤ１６ｔが取り付けられており、動物が動物捕獲空間に入ると、適宜の方法で２本のトリガーワイヤ１６ｔが引かれる。トリガーワイヤ１６ｔが引かれるとロックピン１６ｃがロックピン挿通孔１６ａ３及びロックピン挿通孔１６ｂ２から抜ける（図３（ｂ）参照）。ロックピン１６ｃが抜けると、トリガーゲートユニット２１の２枚のゲートパネル１５が自重で落下する（図３（ｃ）及び図３（ｄ）参照）。
【００４２】
ここで、複数の連鎖ゲートユニット２２ａ〜２２ｎのそれぞれのロック機構１６が解除されて、連鎖的にゲートパネル１５が落下する仕組みを、図４を用いて説明する。図４においては、（ａ）から（ｃ）にかけて連鎖的にロック機構１６のロックが解除されていく状態が示されている。
【００４３】
図４（ａ）に示されるように、左図のゲートユニットのゲートパネル１５が落下すると、ワイヤ取付板１６ａ４のワイヤ取付孔１６ａ５に取り付けられたワイヤ１６ｄが引かれる。ワイヤ１６ｄが引かれると、隣接するゲートユニット（中央図）において、ワイヤ１６ｄの他端がワイヤ取付孔１６ｃ２に取り付けられているロックピン１６ｃが引かれ、軸１６ｃ１がロックピン挿通孔１６ａ３及びロックピン挿通孔１６ｂ２から抜け始める。このとき、さらに隣接するゲートユニット（右図）では、軸１６ｃ１は、ロックピン挿通孔１６ａ３及びロックピン挿通孔１６ｂ２に依然として挿入された状態である。
【００４４】
次に、図４（ｂ）に示されるように、左図のゲートユニットのゲートパネル１５がさらに落下すると、隣接するゲートユニット（中央図）のロックピン１６ｃがさらに引かれて、ロックピン挿通孔１６ａ３及びロックピン挿通孔１６ｂ２から完全に抜ける。ロックピン１６ｃが完全に抜けると、中央図のゲートパネル１５は落下し始める。落下し始めたゲートパネル１５に引かれたワイヤ１６ｄは、隣接するゲートユニット（右図）のロックピン１６ｃを引くため、ロックピン１６ｃは、ロックピン挿通孔１６ａ３及びロックピン挿通孔１６ｂ２から抜け始める。
【００４５】
さらに、図４（ｃ）に示されるように、中央図のゲートユニットがさらに落下し、隣接するゲートユニット（右図）のロックピン１６ｃがさらに引かれて、ロックピン挿通孔１６ａ３及びロックピン挿通孔１６ｂ２から完全に抜ける。ロックピン１６ｃが完全に抜けると、右図のゲートパネル１５も落下し始める。
【００４６】
このように、囲い罠２は、トリガーワイヤ１６ｔが引かれてトリガーゲートユニット２１のロックピン１６ｃがロックピン挿通孔１６ａ３及びロックピン挿通孔１６ｂ２が抜けたことをきっかけとして、複数の連鎖ゲートユニット２２ａ〜２２ｎのゲートパネル１５が、図４に示されるように連鎖的に落下するようになっている。図５に示される囲い罠２においては、トリガーゲートユニット２１の２枚のゲートパネル１５が落下することによって、左側に隣接する連鎖ゲートユニット２２ａから連鎖ゲートユニット２２ｂ、連鎖ゲートユニット２２ｃ・・・の順にゲートパネル１５が落下するとともに、右側に隣接する連鎖ゲートユニット２２ｎから連鎖ゲートユニット２２ｍ、連鎖ゲートユニット２２ｌ・・・の順にゲートパネル１５が落下する。その結果、図５（ｂ）に示されるように、すべてのゲートユニット２１、２２ａ〜２２ｎのゲートパネル１５が落下し、内部に動物を閉じ込めることができる。
【００４７】
囲い罠において複数のゲートパネル１５が落下する形態は、図５に限定されるものではない。例えば、ゲートユニット１Ａをトリガーゲートユニット２１とし、そのゲートパネル１５の落下をきっかけとして、トリガーゲートユニット２１の一方側に隣接するゲートユニット２２ａ又は２２ｎから順にゲートパネル１５が落下し、トリガーゲートユニット２１の他方側に隣接するゲートパネル１５が最後に落下するようにしてもよい。あるいは、複数のゲートユニットをトリガーゲートユニット２１として設定して、囲い罠の周方向に適切な間隔で複数のトリガーゲートユニット２１の各々を配置してもよい。この囲い罠では、動物が内部に入ったことを検知して複数のトリガーゲートユニット２１が同時に作動するようにしておき、複数のトリガーゲートユニット２１のゲートパネル１５が落下したことをきっかけとして、他のゲートユニットのゲートパネル１５が落下する。このような囲い罠は、ゲートユニットの数は同じであるがトリガーゲートユニット２１が１つのみ設定された囲い罠と比較して、すべてのゲートパネル１５が完全に落下するまでの時間を短縮することができる。
【００４８】
囲い罠２においては、すべてのゲートパネル１５が連鎖的に落下するように構成されているが、これに限定されるものではない。例えば、必要に応じて、一部のワイヤ１６ｄを取り除くことによって、任意のゲートユニットのゲートパネル１５をあらかじめ落下させた状態にしておくこともでき、任意のゲートユニットのゲートパネル１５を落下させないようにすることもできる。
【００４９】
囲い罠２には、動物捕獲装置を取り付けることもできる。図６は、ゲートユニット１Ａ及び／又はゲートユニット１Ｂを複数個、連結することによって構成された囲い罠２’に、既存の動物捕獲装置３が連結された状態を示す。この囲い罠２’は、図５に示される囲い罠２において、ゲートユニット２２ｋとゲートユニット２２ｌとの連結部分にゲートユニット２２ｒ、２２ｓ、２２ｔを連結するとともに、ゲートユニット２２ｍとゲートユニット２２ｌとの連結部分にゲートユニット２２ｏ、２２ｐ、２２ｑを連結したものである。動物捕獲装置３は、ゲートユニット２２ｑとゲートユニット２２ｔとに連結される。動物捕獲装置３の前にはゲートユニット２２ｕが配置されることが好ましい。ゲートユニット２２ｌ、２２ｏ〜２２ｔ、及び２２ｕによって囲まれる空間は、囲い罠２’に入った動物を動物捕獲装置３に追い込むための追い込み部となる。なお、ゲートユニット２２ｏ〜２２ｔもまた、連鎖ゲートユニットとすることが好ましい。
【００５０】
また、図５（ａ）においては、すべてがゲートユニット１Ａ又はゲートユニット１Ｂの両方又はいずれか一方で囲い罠２が形成されているが、これに限定されるものではない。例えば、複数のゲートユニット１Ａ及び／又はゲートユニット１Ｂと、既存の囲い罠（例えば特許文献２に記載される捕獲柵）を組み合わせることもできる。
【符号の説明】
【００５１】
１Ａ、１Ｂ  ゲートユニット
１１  フレーム
１１ａ  横フレーム
１１ｂ  縦フレーム
１１ｂ１パネルレール
１１ｃ  横中間フレーム
１１ｄ  縦中間フレーム
１１ｄ１  パネルレール
１２  略四角形空間
１２ａ  上部空間
１２ｂ  下部空間
１３  連結部
１３ａ、１３ｂ  連結バー
１３ｃ  ブリッジ
１４  目隠しパネル
１５  ゲートパネル
１６  ロック機構
１６ａ  可動ロック部材（第１のロック部材）
１６ａ１  取付板
１６ａ２  ロックピン挿通板
１６ａ３  ロックピン挿通孔（第１の挿通孔）
１６ａ４  ワイヤ取付板
１６ａ５  ワイヤ取付孔
１６ｂ  固定ロック部材（第２のロック部材）
１６ｂ１  ロックピン挿通板
１６ｂ２  ロックピン挿通孔（第２の挿通孔）
１６ｃ  ロックピン
１６ｃ１  軸
１６ｃ２  ワイヤ取付孔
１６ｄ  ワイヤ
１６t  トリガーワイヤ
２、２’  囲い罠
２１  トリガーゲートユニット
２２ａ〜２２ｕ  連鎖ゲートユニット
２３  連結部目隠し板
３  動物捕獲装置
【図１】
0003232233.tif 000003
【図２】
0003232233.tif 000004
【図３】
0003232233.tif 000005
【図４】
0003232233.tif 000006
【図５】
0003232233.tif 000007
【図６】
0003232233.tif 000008